(57)【要約】【課題】自分以外の悪意ある第３者が行った「なりすまし」による指紋認証行為を、成功／失敗によらず素早く察知可能な携帯無線電話装置を提供する。【解決手段】制御部１３は呼び出された機能が認証を必要とするか否かを確認し、必要であれば認証を促す画面を表示部１７に表示させる。認証手段が指紋認証であれば指紋センサ１６から指紋を入力し、暗証番号入力の場合には操作部１４から暗証番号を入力する。制御部１３は入力された情報と、記憶部１５に予め登録されている暗証番号、あるいは指紋情報を比較し、認証結果を表示部１７に表示する。指紋認証が終わると、制御部１３は記憶部１５に格納してある電子メールの送信先アドレスを読出し、送受信部１２とアンテナ１１とを用いて電子メールを送信する。【選択図】　　　図１
2004021752.tif 000002
【特許請求の範囲】
【請求項１】
個人認証手段を含む携帯無線電話装置であって、前記個人認証手段による認証後にその認証結果を予め設定された送付先に電子メールにて通知する手段を有することを特徴とする携帯無線電話装置。
【請求項２】
前記個人認証手段は、指紋にて認証を行う手段であり、前記指紋にて認証を行う場合にのみ前記電子メールにて通知することを特徴とする請求項１記載の携帯無線電話装置。
【請求項３】
前記指紋による認証結果を管理している旨を前記認証結果に付加して自端末を含む送付先に前記電子メールにて通知することを特徴とする請求項２記載の携帯無線電話装置。
【請求項４】
指紋にて認証を行う個人認証手段を含む携帯無線電話装置の指紋認証方法であって、前記個人認証手段による認証が必要かを判定するステップと、必要と判定された前記個人認証手段による認証結果を予め設定された送付先に電子メールにて通知するステップとを有することを特徴とする指紋認証方法。
【請求項５】
前記指紋にて認証を行う場合にのみ前記電子メールにて通知することを特徴とする請求項４記載の指紋認証方法。
【請求項６】
前記指紋による認証結果を管理している旨を前記認証結果に付加して自端末を含む送付先に前記電子メールにて通知することを特徴とする請求項５記載の携帯無線電話装置。
【請求項７】
指紋にて認証を行う個人認証手段を含む携帯無線電話装置の指紋認証方法のプログラムであって、コンピュータに、前記個人認証手段による認証が必要かを判定する処理と、必要と判定された認証の結果を予め設定された送付先に電子メールにて通知する処理とを実行させるためのプログラム。
【発明の詳細な説明】
【０００１】
【発明の属する技術分野】
本発明は携帯無線電話装置及びそれに用いる指紋認証方法並びにそのプログラムに関し、特に携帯無線電話装置を用いた個人認証に関する。
【０００２】
【従来の技術】
近年、携帯電話装置を用いた電子商取引をはじめ、様々なアプリケーションにおける個人認証の重要性が増している。
【０００３】
従来の携帯電話装置では、個人認証の手段として暗証番号の入力を用いているが、より高いセキュリティが要求されているため、バイオメトリックスによる個人認証機能の搭載も検討されている。
【０００４】
このバイオメトリックス認証手段の中でも、指紋認証は認証精度が高く、その認証に用いるセンサの価格・サイズ等の面で携帯電話装置に実装できる可能性が高い手段の一つといえる。
【０００５】
【発明が解決しようとする課題】
しかしながら、上述した従来の個人認証技術では、指紋認証技術の場合、高い認証精度を得ることができるが、１００％の安全性がないという問題がある。
【０００６】
また、上述した従来の個人認証技術では、悪意ある第３者が行ったなりすまし認証を確認する手段がなく、料金が請求されて初めて気付いたり、また認証に失敗していた場合にその行為に気付かないという問題がある。
【０００７】
さらに、特開２００１−３５０７２３号公報や、特開２００１−１７５６００号公報、特開平０７−０３６８０１号公報には、暗証番号入力で失敗した回数をカウントし、一定回数を超えた時に不正使用と判断してメール通知する技術が記載されている。しかしながら、失敗が一定回数を超えなければ、悪意のある人間がいることに気付かなかったり、万が一暗証番号を盗まれていて認証が成功した場合にこれに気付かないという問題がある。
【０００８】
そこで、本発明の目的は上記の問題点を解消し、自分以外の悪意ある第３者が行った「なりすまし」による指紋認証行為を、成功／失敗によらず素早く察知することができる携帯無線電話装置及びそれに用いる指紋認証方法並びにそのプログラムを提供することにある。
【０００９】
【課題を解決するための手段】
本発明による携帯無線電話装置は、個人認証手段を含む携帯無線電話装置であって、前記個人認証手段による認証後にその認証結果を予め設定された送付先に電子メールにて通知する手段を備えている。
【００１０】
本発明による指紋認証方法は、指紋にて認証を行う個人認証手段を含む携帯無線電話装置の指紋認証方法であって、前記個人認証手段による認証が必要かを判定するステップと、必要と判定された前記個人認証手段による認証結果を予め設定された送付先に電子メールにて通知するステップとを備えている。
【００１１】
本発明による指紋認証方法のプログラムは、指紋にて認証を行う個人認証手段を含む携帯無線電話装置の指紋認証方法のプログラムであって、コンピュータに、前記個人認証手段による認証が必要かを判定する処理と、必要と判定された認証の結果を予め設定された送付先に電子メールにて通知する処理とを実行させている。
【００１２】
すなわち、本発明の携帯無線電話装置は、指紋認証を行う毎に、予め指定したアドレスに指紋認証が行われたことを電子メールにて自動送信するので、他の端末で認証履歴を管理することが可能となる。
【００１３】
この電子メールの送信先を普段良く使う会社のアドレス等にしておけば、１００％安全ではない指紋認証に関して、自分以外の悪意ある第３者が行った「なりすまし」による認証行為を、成功／失敗によらず素早く察知することが可能となる。
【００１４】
また、本発明携帯無線電話装置では、個人認証手段を暗証番号入力と、指紋認証との２つを用いることで、指紋認証の使い勝手の悪さからすると、高い認証精度を必要とする機能のみ指紋認証を用いることで、管理する必要の無い機能（暗証番号入力）でメール送信してしまうのを防ぐことが可能となる。
【００１５】
より具体的に説明すると、本発明携帯無線電話装置では、携帯者がスイッチ操作によって任意の機能を呼び出した場合、その機能を実行するのに認証が必要か否かを確認し、認証が必要でなければ、そのまま呼び出された機能を実行する。
【００１６】
また、本発明携帯無線電話装置では、認証が必要である場合に認証手段の確認を行い、認証手段の確認を行った結果、暗証番号入力であれば、暗証番号入力を行って呼び出した機能を実行し、指紋認証であれば、指紋入力画面に移行する。
【００１７】
本発明携帯無線電話装置では、指紋認証の結果、認証されなかった場合に電子メールの送信設定がＯＮであるかを確認し、ＯＮでなければ再度指紋入力画面に移行し、ＯＮであれば、認証が失敗したことを電子メールにて送信してから、再度指紋入力画面に移行する。
【００１８】
本発明携帯無線電話装置では、指紋認証の結果、認証された場合に電子メール送信設定がＯＮであるかを確認し、ＯＮでなければそのまま呼び出された機能を実行し、ＯＮであれば認証が成功したことを電子メールにて送信してから呼び出された機能を実行する。
【００１９】
これによって、本発明では、指紋認証を行った後に、その結果を電子メールにて自動送信するので、指紋認証の有無を他の端末で管理することが可能となり、自分以外の悪意ある第３者が行った「なりすまし」による指紋認証行為を認証の成功／失敗によらず素早く察知可能となる。
【００２０】
【発明の実施の形態】
次に、本発明の実施例について図面を参照して説明する。図１は本発明の一実施例による携帯無線電話装置の構成を示すブロック図である。図１において、携帯無線電話装置１はアンテナ１１と、送受信部１２と、制御部１３と、操作部１４と、記憶部１５と、指紋センサ１６と、表示部１７と、記録媒体１８とから構成されている。
【００２１】
携帯無線電話装置１のアンテナ１１及び送受信部１２は、一般的な携帯無線電話と同じであるので、その説明を省略する。制御部１３は送受信の制御を行うとともに、指紋認証の結果を電子メールにて送信する制御も行う。これらの制御は記録媒体１８に格納されたプログラムをコンピュータ（図示せず）が実行することで実現される。
【００２２】
携帯無線電話装置１の携帯者が任意の機能を実行する場合には、表示部１７の画面を見ながら、操作部１４を操作することでその機能が呼び出される。この時、呼び出された機能が認証を必要とするか否かを制御部１３が確認し、必要であれば認証を促す画面を表示部１７に表示させる。
【００２３】
この場合、認証手段が指紋認証であれば指紋センサ１６から指紋を入力し、暗証番号入力の場合には操作部１４から暗証番号を入力する。実際に認証を行うのは制御部１３で、入力された情報と、記憶部１５に予め登録されている暗証番号、あるいは指紋情報を比較し、認証結果を表示部１７に表示する。
【００２４】
指紋認証が終わり、結果を電子メールにて送信する場合には、制御部１３が記憶部１５に格納してある電子メールの送信先アドレスを読出し、送受信部１２とアンテナ１１とを用いて電子メールを送信する。記憶部１５に格納してある電子メールの送信先アドレスは、本装置の携帯者が予め表示部１７の画面を見ながら、操作部１４を操作して設定する。
【００２５】
図２は本発明の一実施例による携帯無線電話装置１の動作を示すフローチャートである。これら図１及び図２を参照して本発明の一実施例による携帯無線電話装置１の動作について説明する。尚、図２に示す処理は制御部１３（コンピュータ）が記録媒体１８のプログラムを実行することで実現される。以下、本装置の携帯者が指紋認証を必要とする機能を実行する場合の動作について説明する。
【００２６】
本装置の携帯者がスイッチ操作によって任意の機能を呼び出した場合（図２ステップＳ１）、制御部１３はその機能を実行するのに認証が必要か否かを確認する（図２ステップＳ２）。
【００２７】
認証が必要でなければ、制御部１３はそのまま呼び出された機能を実行し（図２ステップＳ３）、認証が必要であれば、制御部１３は認証手段の確認を行う（図２ステップＳ４）。
【００２８】
認証手段の確認を行った結果、暗証番号入力であれば、制御部１３は暗証番号入力を行い（図２ステップＳ５）呼び出した機能を実行し（図２ステップＳ６）、指紋認証の場合、指紋入力画面に移行する（図２ステップＳ７）。
【００２９】
指紋認証の結果、認証されなかった場合（図２ステップＳ８）、制御部１３は電子メールの送信設定がＯＮであるかを確認し（図２ステップＳ９）、ＯＮでなければ再度指紋入力画面に移行し（図２ステップＳ７）、ＯＮであれば認証が失敗したことを電子メールにて送信してから（図２ステップＳ１０）、再度指紋入力画面に移行する（図２ステップＳ７）。
【００３０】
また、指紋認証の結果、認証された場合（図２ステップＳ８）、制御部１３は電子メールの送信設定がＯＮであるかを確認し（図２ステップＳ１１）、ＯＮでなければそのまま呼び出された機能を実行し（図２ステップＳ１３）、ＯＮであれば認証が成功したことを電子メールにて送信してから（図２ステップＳ１２）、呼び出された機能を実行する（図２ステップＳ１３）。
【００３１】
図３は本発明の一実施例において指紋認証後に電子メールにて送信する内容の一例を示す図である。図３において、電子メールにて送信する内容としては指紋認証が行われた日時と、指紋認証の結果、指紋認証が行われた目的（用途）を示しているが、指紋照合時のスコア（類似度）や指紋画像自体を送ることも考えられる。
【００３２】
図４は本発明の一実施例による携帯無線電話装置１の外観・キー配置の一例を示す図である。図４において、携帯無線電話装置１はアンテナ２１と、レシーバ２２と、表示部２３と、マイク２４と、機能キー２５〜２９と、テンキー３０と、指紋入力部３１とを備えており、アンテナ２１は図１のアンテナ１１に対応し、表示部２３は図１の表示部１７に対応し、機能キー２５〜２９及びテンキー３０は図１の操作部１４に対応している。
【００３３】
指紋入力部３１は指紋認証を行う際に指を置くセンサを表し、本例ではその周りに４方向キーを配置している。また、これらアンテナ２１と、レシーバ２２と、表示部２３と、マイク２４と、機能キー２５〜２９と、テンキー３０とは、一般の携帯電話装置と同じであるため、その説明を省略する。
【００３４】
図５は本発明の一実施例における指紋認証時の電子メールの送信設定の動作例を示すフローチャートである。これら図４及び図５を参照して、本発明の一実施例による携帯無線電話装置１の携帯者が、指紋認証後のメール送信ＯＮ／ＯＦＦ設定を行う場合の動作について説明する。尚、図５に示す処理は制御部１３（コンピュータ）が記録媒体１８のプログラムを実行することで実現される。
【００３５】
本装置の携帯者が指紋認証時のメール送信設定をＯＮする場合、まずＭｅｎｕキー２５が押下されると、制御部１３は表示部２３（表示部１７）にメニューを表示させる（図５ステップＳ２１）。
【００３６】
続いて、４方向キー２７でカーソルを機能設定メニューに移動し、決定キー２８が押下されると、制御部１３は表示部２３（表示部１７）に機能設定メニューを表示させる（図５ステップＳ２２）。
【００３７】
さらに、４方向キー２７でカーソルを指紋認証メニューに移動し、決定キー２８が押下されると、制御部１３は表示部２３（表示部１７）に指紋認証メニューを表示させる（図５ステップＳ２３）。
【００３８】
さらにまた、４方向キー２７でカーソルをメール送信設定メニューに移動し、決定キー２８が押下されると、制御部１３は表示部２３（表示部１７）にセキュリティ確保のための指紋認証画面を表示する（図５ステップＳ２４）。
【００３９】
ここで、指紋センサ３１に指を置いて認証を実行するが、認証に失敗した場合（図５ステップＳ２５）、再度指紋入力に戻る。認証に成功した場合（図５ステップＳ２５）、制御部１３はメール送信設定状態を表示させるが、この表示で設定がＯＦＦの場合（図５ステップＳ２６）、４方向キー２７でカーソルをメール送信ＯＮに移動し（図５ステップＳ２７）、決定キー２８が押下されると、制御部１３はメールアドレス入力画面に移行する（図５ステップＳ２８）。これによって、テンキー３０を使ってアドレスが入力され、決定キー２８が押下されると、その設定が完了する。
【００４０】
また、メール送信設定状態がＯＮの場合（図５ステップＳ２６）、そのまま決定キー２８が押下されると、制御部１３はメールアドレス入力画面に移行する（図５ステップＳ２８）。これによって、テンキー３０を使ってアドレスが入力され、決定キー２８が押下されると、その設定が終了する。
【００４１】
このように、本実施例では、指紋認証を行った後にその結果を電子メールにて自動送信することによって、指紋認証の有無を他の端末で管理することが可能になるので、自分以外の悪意ある第３者が行った「なりすまし」による指紋認証行為をその認証の成功／失敗によらず、素早く察知することができる。
【００４２】
図６は本発明の他の実施例において指紋認証後に電子メールにて送信する内容の一例を示す図である。図６において、本発明の他の実施例では、自動メール送信する宛先に本装置自身を必ず入れ、送信内容に「指紋認証結果は管理されています」というメッセージを加えて意図的に伝えることで、第三者の不正使用を抑制している。
【００４３】
この場合、上述した本発明の一実施例における認証の成功／失敗を電子メールにて送信する際に、予め指定されたアドレスに加え、本装置自身のアドレスも加えておき、本装置へも電子メールを同時に送信すればよい。この場合、付け加えるメッセージに関しては、図６に示す通り、メール項目に「メッセージ」を追加し、送信内容に「指紋認証結果は管理されています」とすればよい。
【００４４】
【発明の効果】
以上説明したように本発明は、指紋にて認証を行う個人認証手段を含む携帯無線電話装置において、個人認証手段による認証後にその認証結果を予め設定された送付先に電子メールにて通知することによって、自分以外の悪意ある第３者が行った「なりすまし」による指紋認証行為を、成功／失敗によらず素早く察知することができるという効果が得られる。
【図面の簡単な説明】
【図１】本発明の一実施例による携帯無線電話装置の構成を示すブロック図である。
【図２】本発明の一実施例による携帯無線電話装置の動作を示すフローチャートである。
【図３】本発明の一実施例において指紋認証後に電子メールにて送信する内容の一例を示す図である。
【図４】本発明の一実施例による携帯無線電話装置の外観・キー配置の一例を示す図である。
【図５】本発明の一実施例における指紋認証時の電子メールの送信設定の動作例を示すフローチャートである。
【図６】本発明の他の実施例において指紋認証後に電子メールにて送信する内容の一例を示す図である。
【符号の説明】
１　携帯無線電話装置
１１，２１　アンテナ
１２　送受信部
１３　制御部
１４　操作部
１５　記憶部
１６　指紋センサ
１７，２３　表示部
１８　記録媒体
２２　レシーバ
２４　マイク
２５〜２９　機能キー
３０　テンキー
３１　指紋入力部
【図１】
2004021752.tif 000003
【図２】
2004021752.tif 000004
【図３】
2004021752.tif 000005
【図４】
2004021752.tif 000006
【図５】
2004021752.tif 000007
【図６】
2004021752.tif 000008